(57)【要約】【課題】  従来の収納容器は、容器の蓋体は着脱自在ではあるが、掴持部の機構上、蓋押さえ付け部と蓋部が完全密着とらなず、圧接力が弱く蓋体の脱落、あるいは掴持部のガタにより締め付け力にバラツキが生じ、過度の締め付けなどにより、掴持部の破損あるいは耐用寿命を低下させる恐れがある。  また、緩衝装置は開閉ペダルに直接固定され、蓋体の動作は、ピストンシリンダーの圧力とストロークによって開閉速度と開閉角度が決まるため、動作時間等調整が困難で使い勝手に制限が生じる。【解決手段】  そこで、本方案のホルダーは、蓋体把持部に、蓋体を確実に把持出来る完全密着型の締め付け金具を取付け、また、蓋体把持部と連動している開閉ロッドの支柱部に位置の調整が出来る開用及び閉用の緩衝装置をそれぞれ取付け、動作時間などの調整を可能なものにする。【選択図】図１
0003127104.tif 000002
【実用新案登録請求の範囲】
【請求項１】
医療廃棄物収納容器の蓋体を把持し、該蓋体を開閉する機能を備えた廃棄物回収容器において、支柱部（５）、（９）に取り付けられた開用と閉用の緩衝装置を備え付けたことを特徴とするホルダ。
【請求項２】
前記容器の蓋部の端面をＬ字状フックで、もう一方の端面を締め付け金具で抑え、締め付け金具を傾斜付Ｌ字状抑え金具に沿って、上下に移動させる摘子が取り付けられたところを特徴とするホルダ。
【考案の詳細な説明】
【技術分野】
【０００１】  本考案は、病院などの医療機関に設置する医療廃棄物収納容器を保持するホルダに関する。
【背景技術】
【０００２】  従来より、病院における医療廃棄物収納容器の取り扱いについては、ＭＲＳＡ，ＡＩＤＳなどの血液感染が問題視されていることから、感染防止のため、使用済注射針などの医療廃棄物は収納容器に収納し、専門業者に委託し、収納容器ごと焼却している。
【特許文献１】特許出願番号２００３−３４９９４０
【０００３】  該発明は、前記収納容器の蓋を着脱自在に掴持する蓋体支持部を備え、足踏み式の蓋体の開閉機構を採用し、また開閉ロッドを蓋体支持部の連結部にピストンシリンダの緩衝装置を挿入することにより蓋体の開閉をスムーズにし、さらに蓋体が閉じられるときの衝撃音を緩和する機能を併せ持つ。
【考案の開示】
【考案が解決しようとする課題】
【０００４】  しかしながら、上記発明については、容器の蓋体は着脱自在ではあるが、保持具の機構上、係止部が蓋体支持部に斜めに接触し係止部と蓋部が完全密着とらなず、圧接力が弱く蓋体が脱落する恐れがある。
更に保持具と係止部材のガタにより締め付け力にバラツキが生じ、過度の締め付けにより、掴持部の破損あるいは耐用寿命を低下させる恐れがある。
また、緩衝装置は開閉ペダルに直接固定され、蓋体の動作は、ピストンシリンダーの圧力とストロークによって開閉速度と開閉角度が決まるため、動作時間等調整が困難で使い勝手に制限が生じる。
【課題を解決するための手段】
【０００５】  そこで、本方案のホルダーは、開閉ロッドの支柱部に位置の調整が可能な開用及び閉用の緩衝装置をそれぞれ取付け、蓋体支持部に蓋体を確実に把持出来る把持部を設けたものである。
【考案の効果】
【０００６】  本考案のホルダによれば、収納容器の蓋部と把持部の密着性を、簡単な操作で確実に実現出来、耐久性を一段と向上することが可能となる。
更に、取付け位置が変更出来る開用と閉用の緩衝装置によって、蓋体開閉時間や開閉角度の調整と衝撃音の緩和及び蓋部開放時の蓋体の内表面に付着した血液などの飛散防止に効果がある。
そのため、作業の安全性と効率化が図れ、かつ院内感染の原因となる廃血液や病原菌の人体への付着等を防止することが出来る。
【考案を実施するための最良の形態】
【０００７】  以下、添付図面に基づいて本考案のホルダの実施例を説明する。【０００８】  図１は本考案にかかわる医療廃棄物収納容器ホルダを示す右側面図である。【０００９】  図１〜図５−１Ｃに示すように、本考案のホルダは、廃棄物収納容器（Ａ）の本体を収納設置する台座（１）、該台座の背面部に取り付けられた支柱部（５）、（９）と支柱部（９）に取り付けられた開閉用緩衝装置（１３）、（１４）並びに支柱部（９）の上端部に廃棄物収納容器（Ａ）の廃棄物収納容器蓋体支持部（Ｃ）を着脱自在に把持する把持部（１６）を設置した蓋体把持材（１１）と、台座の先端に開閉足踏みペダル（２）を備え、ペダルロット（３）に連結された開閉足踏みプダル（２）の動力を、支柱部（９）の始点（１０）を介し、蓋体把持材（１１）を開閉させる開閉ロット（４）から構成されている。【００１０】  廃棄物収納容器（Ａ）を収納する部分は、容器を収納する台座（１）と容器を載せる容器積載受金具（７）と開閉足踏みペダル（２）の動力を開閉ロット（４）に伝えるペダルロット（３）及びペダルロット支持材（６）から構成されている。【００１１】  緩衝装置は、支柱部（５）、（９）に油圧式による閉用ピストンシリンダー（１７）と開用ピストンシリンダー（１８）をそれぞれ取付け、開閉ロット（４）にネジ止めされたピストンシリンダーのヘッドを受け止める閉用緩衝装置ストッパー（１２）と開用緩衝装置ストッパー（１５）より構成されている。
開閉それぞれのピストンシリンダーは取付けナットの調節で、また、開閉用衝撃装置ストッパーは上下にスライドすることにより位置調整が出来、緩衝装置の動作時間や開閉角度が変えられる構造になっている。【００１２】  廃棄物収納容器（Ａ）の蓋部を把持する把持部（１６）は、蓋部の端面抑えるＬ字状フック（１６−ｄ）と蓋部のもう一方の端面を抑える締め付け金具（１６−ｂ）と、その締め付け金具を抑える傾斜付Ｌ字状抑え金具（１６−ａ）及び締め付け金具を上下に移動させる摘子（１６−ｃ）とそれらを接続固定する蓋体把持部（１１）から構成されている。
【実施例】
【００１３】  次に実施の形態の使用例を説明する。
図１に示すように開閉足踏みペダル（２）を踏むと、ペダルロット（３）に連動されている開閉ロット（４）に上向きの力が伝動し、支柱部（９）に回転が可能なように取付けられた蓋体把持材（１１）を支柱部（９）の上端を視点（１０）として、把持部（１６）で把持された廃棄物収納容器の蓋体（Ｂ）を持ち上げる。【００１４】  図１及び図１−ａに示すように支柱部に開閉用緩衝装置（１３）、（１４）を取り付けている。図１−ａは閉用緩衝装置（１３）の取付けを示す図面で、ペダル（２）を踏むと開閉ロットにネジ止めされていた開用緩衝装置ストッパー（１５）が上昇して、蓋の開限近くに設定されていたシリンダーヘット（２１）に接触し、ピストンシリンダーが作動し衝撃音を緩衝させる。
図−１に示す緩衝装置（１３）は閉用で、蓋が閉まると開閉ロットにネジ止めされていた閉用緩衝装置ストッパーが下降し、蓋の閉限近くに設定されていたシリンダーヘットに接触し、ピストンシリンダーが作動し衝撃音を緩衝させる。
開閉用それぞれのピストンシリンダーは、ナット（１９）の締め付け量によって上下の位置を調整するようになっている。
開閉速度は、ピストンシリンダーの圧力によって決まるため、ピストンシリンダーとの接触動作タイミングを調整すれば、開閉時間を短くかつ衝撃音を緩衝させることが出来るため、操作者が意図するスムーズな蓋体の開閉が可能となる。【００１５】  次に、図５−１ａ，図５−１ｂ，図５−１ｃに示すように摘子（１６−ｃ）まわすことによって、締め付け金具（１６−ｂ）は上昇する。締め付け金具の一方は傾斜を付け、傾斜付Ｌ字状抑え金具（１６−ｃ）と密着する形状で、締め付け金具（１６−ｂ）のもう一方は、蓋体支持部（Ｃ）と垂直に密着する形状となっているため、締め付け金具（１６−ｂ）が上昇するに従い、傾斜付Ｌ字状抑え金具（１６−ｃ）に対する締め付け金具（１６−ｂ）の押し付け力は大きくなり、廃棄物収納容器蓋体支持部（Ｃ）を、確実に把持する。【００１６】  廃棄物収納容器（Ａ）への医療廃棄物の投入が完了し満杯になれば、該容器の蓋体（Ｂ）を把持部（１６）より外し、該容器（Ａ）にそれを被せて密着した後、ホルダから取り出される。容器（Ａ）はそのまま収集され、病院などの医療機関から所定の廃棄物処理場まで運搬されるが、容器（Ａ）は密閉されているので、医療廃棄物による感染が防止される。そして、容器（Ａ）は医療廃棄物処理場で焼却、最終処分される。
【産業上の利用可能性】
【００１７】  以上説明したとおり、本考案によれば、密閉容器の蓋体を容易にしかも確実に把持して使用することができ、上下の位置合わせが出来る開閉用緩衝装置によって、開閉時間と開閉角度の調整及び衝撃音を緩和することが出来、蓋体開放時には、蓋体内部に付着した血液などの飛散防止に効果がある。そのため、院内感染の原因となる廃血液や病原微生物の人体への付着や床への飛散が防止出来、非常に衛生的である。
また、本考案によれば、緩衝装置については、開用及び閉用のピストンシリンダーと押し付け金具の位置合わせによって、緩衝装置の動作タイミングが変えられるため、本装置の開閉速度は、ピストンシリンダーが緩衝装置のストッパーに接触するまでは、ペダル操作者の動作速度となる。従って、緩衝効果を損ねることなく、操作者と一体化した素早い動作が出来る。
把持部については、最小限の部品数で、押さえ付け部は完全密着押し付け構造としているため、ガタやグラツキなどがなく、耐久性に優れている。また、摘子のサイズを大きくしているため、力の加減が容易で操作がしやすくなっている。
【図面の簡単な説明】
【図１】本考案におけるホルダの右側面図である。〔図１−ａ〕図１の緩衝装置の形態を示す左側面図である。
【図２】ホルダに廃棄物収納容器を納めた斜視図である。
【図３】ホルダの平面図である。
【図４】ホルダの正面図である。
【図５】〔図５−１ａ〕蓋体把持部の把持する前の右側面図である。〔図５−１ｂ〕蓋体把持部の把持した後の右側面図である。〔図５−１ｃ〕廃棄物収納容器の蓋体の平面図である。
【符号の説明】
１        台車
２        開閉足踏みペダル
３        ペダルロット
４        開閉ロット
５，９    支柱部
６        ペダルロット支持材
７        容器積載受金具
８        支柱部の補強材
１０      支点
１１      蓋体支持材
１２      閉用緩衝装置ストッパー
１３      閉用緩衝装置
１４      開用緩衝装置
１５      開用緩衝装置ストッパー
１６      把持部
１６−ａ  傾斜付Ｌ字状抑え金具
１６−ｂ  締め付け金具
１６−ｃ  摘子
１６−ｄ  Ｌ字状フック
１７      閉用ピストンシリンダー
１８      開用ピストンシリンダー
１９      ナット
２０      取付けネジ
２１      シリンダーヘット
Ａ        廃棄物収納容器
Ｂ        廃棄物収納容器の蓋体
Ｃ        廃棄物収納容器蓋体支持部
【図１】
0003127104.tif 000003
【図２】
0003127104.tif 000004
【図３】
0003127104.tif 000005
【図４】
0003127104.tif 000006
0003127104.tif 000007
【図５】
0003127104.tif 000008
【手続補正書】
【提出日】平成18年8月23日(2006.8.23)
【手続補正１】
【補正対象書類名】実用新案登録請求の範囲
【補正対象項目名】全文
【補正方法】変更
【補正の内容】
【実用新案登録請求の範囲】
【請求項１】
医療廃棄物収納容器の蓋体を把持し、該蓋体を開閉する機能を備えた廃棄物回収容器において、支柱部（５）、（９）に取り付けられた開用と閉用の緩衝装置を備え付けたことを特徴とするホルダ。
【請求項２】
廃棄物回収容器の蓋部の端面をＬ字状フックで、もう一方の端面を締め付け金具で抑え、締め付け金具を傾斜付Ｌ字状抑え金具に沿って、上下に移動させる摘子が取り付けられたところを特徴とする請求項１に記載のホルダ。